(57)【特許請求の範囲】
【請求項１】
ホース巻き取り駆動軸（１８）とホースリール（１３）との間の駆動系に介装されたベルトテンション式クラッチ（２０）と、前記ホース巻き取り駆動軸（１８）を制動するベルト式ブレーキ（２１）と、前記ベルトテンション式クラッチ（２０）及び前記ベルト式ブレーキ（２１）を操作するための単一の操作部材であって、前記ベルトテンション式クラッチ（２０）がつながり且つ前記ベルト式ブレーキ（２１）がかかった状態のホースリール固定操作位置（ＮＰ）からホース巻き取り操作位置（ＬＰ）へと操作することにより前記ベルト式ブレーキ（２１）を解除せしめるとともに前記ホース巻き取り駆動軸（１８）を始動せしめ、前記ホースリール固定操作位置（ＮＰ）からホース繰り出し操作位置（ＲＰ）へと操作することにより前記ベルトテンション式クラッチ（２０）を切断せしめる単一の操作部材（２２）と、を備えてなる、ホース繰り出し巻き取り装置。
【請求項２】
前記ホース巻き取り駆動軸が、電動モータ（１５）の出力軸（１８）である、請求項１に記載のホース繰り出し巻き取り装置。
【請求項３】
前記ホース巻き取り駆動軸（１８）と前記単一の操作部材（２２）とが、前記ホースリール（１３）を回転自在に支持するホースリール支持フレーム（１４）に支持されてなる、請求項１または２に記載のホース繰り出し巻き取り装置。
【請求項４】
前記単一の操作部材が、揺動操作レバー（２２）であり、該揺動操作レバー（２２）を常時互いに逆方向（Ｌ−Ｒ）へ付勢することによって該揺動操作レバー（２２）を前記ホースリール固定操作位置（ＮＰ）に保持する一対の揺動操作レバー付勢手段（２９−３３，３０−３５）を備え、前記ベルトテンション式クラッチ（２０）と前記ベルト式ブレーキ（２１）のそれぞれを、前記揺動操作レバー（２２）が前記ホースリール固定操作位置（ＮＰ）にある時に前記ベルトテンション式クラッチ（２０）がつながり且つ前記ベルト式ブレーキがかかった状態となるように前記一対の揺動操作レバー付勢手段（２９−３３，３０−３５）のそれぞれに作動上連結してなる、請求項１，２または３に記載のホース繰り出し巻き取り装置。
【発明の詳細な説明】
【０００１】
【発明の属する技術分野】
本発明は、ホース繰り出し巻き取り装置に関するものであり、特に、走行式液体散布機にアタッチメントとして搭載して補助散布用ホースの繰り出し巻き取り装置として用いて好適な、ホース繰り出し巻き取り装置に関するものである。
【０００２】
【従来の技術】
例えば、ブーム式液体散布機等の走行式液体散布機においては、ノズルブーム等を用いて行う広範囲への散布に適する通常散布用の配管の他に、手持式ノズルにつながる補助散布用の配管をも備えておくと、走行機体が入り込めないような狭小な圃場でも散布を行うことができるほか、変形圃場等においてもその隅々にまで液体散布が行えて、好適である。
【０００３】
そこで、従来、例えば、手持式補助ノズルと、前記走行機体に搭載されたタンク内の散布液を前記手持式補助ノズルへと送り出すためのホースの巻き取りリールと、を前記走行機体に搭載したものもある。
【０００４】
【発明が解決しようとする課題】
しかしながら、補助散布用の前記従来のホースリールは、ホースの繰り出しも巻き取りも人力で行う人力式のものであり、作業者の疲労が大きい等の問題がある。
【０００５】
そこで、省力化のため、前記ホースリールを動力駆動式にせしめるとしても、前記走行機体に搭載して補助的に使用するものである関係上、コンパクトなものが望ましいほか、操作性も良いことが要求される。
【０００６】
本発明は、前記の如き事情に鑑みてなされたもので、コンパクトで且つ操作性も良い、ホース繰り出し巻き取り装置を提供しようとするものである。
【０００７】
【課題を解決するための手段】
前記課題を解決するため、本発明に係るホース繰り出し巻き取り装置は、ホース巻き取り駆動軸とホースリールとの間の駆動系に介装されたベルトテンション式クラッチと、前記ホース巻き取り駆動軸を制動するベルト式ブレーキと、前記ベルトテンション式クラッチ（２０）及び前記ベルト式ブレーキを操作するための単一の操作部材であって、前記ベルトテンション式クラッチがつながり且つ前記ベルト式ブレーキがかかった状態のホースリール固定操作位置からホース巻き取り操作位置へと操作することにより前記ベルト式ブレーキを解除せしめるとともに前記ホース巻き取り駆動軸を始動せしめ、前記ホースリール固定操作位置（ＮＰ）からホース繰り出し操作位置へと操作することにより前記ベルトテンション式クラッチを切断せしめる単一の操作部材と、を備えたものである（請求項１）。
【０００８】
前記ホース繰り出し巻き取り装置において、前記単一の操作部材が前記ホースリール固定操作位置にある時には、前記ベルトテンション式クラッチ（以下単に「クラッチ」という。）がつながり、且つ前記ベルト式ブレーキ（以下単に「ブレーキ」という。）によって前記ホースリール駆動軸が制動されている。
【０００９】
ここで、前記単一の操作部材を、前記ホースリール固定操作位置から前記巻き取り操作位置へと操作すると、前記ブレーキが解除されるので、前記ホース巻き取り駆動軸が回転可能となると同時に該ホース巻き取り駆動軸が始動させられ、該ホース巻き取り駆動軸の作動によって、前記ホースリールがホース巻き取り方向へと回転駆動させられる。したがって、前記ホース巻き取り駆動軸を始動せしめるために別の操作をする必要がなくなるので、操作性が良好である。
【００１０】
一方、前記単一の操作部材を、前記ホースリール固定操作位置から前記ホース繰り出し操作位置へと操作すると、前記クラッチが切れるので、前記ホースリールがホース繰り出し方向へと遊転可能となり、前記ホースリールに巻き付けられたホースの引き出しが可能となる。
【００１１】
以上のように、本発明によれば、前記単一の操作部材で前記クラッチと前記ブレーキの操作が行われるので、操作性が良いほか、前記クラッチと前記ブレーキのそれぞれに対応して操作部材を設ける場合に比べて、その全体をコンパクトにせしめることができる。このため、例えば、走行式液体散布機に補助散布用のアタッチメントとして搭載する場合等に、特に好適である。
【００１３】
また、前記ホース繰り出し巻き取り装置を、アタッチメントとして前記走行式液体散布機に搭載せしめる場合、例えば、該走行式液体散布機側に備えられた動力取り出し軸（ＰＴＯ軸）を前記ホース巻き取り駆動軸に連結し、該走行式液体散布機側からの駆動力で前記ホースリールを巻き取り方向に回転駆動させるようにせしめることもできる。
【００１４】
これに対し、前記ホース巻き取り駆動軸を、電動モータの出力軸とせしめれば（請求項２）前記走行式液体散布機側の動力源への接続作業が容易となるので、前記走行式液体散布機への取付性が良くなるほか、他の原動機を有する構成とした場合に比べて、前記ホース繰り出し巻き取り装置全体の大きさをよりコンパクトにせしめることができ、なお一層好適である。
【００１５】
さらに、前記ホース巻き取り駆動軸と前記単一の操作部材とが、前記ホースリールを回転自在に支持するホースリール支持フレームに支持されたものとせしめれば（請求項３）、前記ホース繰り出し巻き取り装置の全体としてのまとまりが良くなり、よりコンパクトにもなるので、その取り扱い性が良好となる。よって、例えば、前記走行式液体散布機への取付作業等も容易となり、好適である。
【００１６】
本発明の他の実施の形態に係るホース繰り出し巻き取り装置として、前記単一の操作部材が、揺動操作レバーであり、該揺動操作レバーを常時互いに逆方向へ付勢することによって該揺動操作レバーを前記ホースリール固定操作位置に保持する一対の揺動操作レバー付勢手段を備え、前記クラッチと前記ブレーキのそれぞれを、前記揺動操作レバーが前記ホースリール固定操作位置にある時に前記クラッチがつながり且つ前記ブレーキがかかった状態となるように前記一対の揺動操作レバー付勢手段のそれぞれに作動上連結したものとせしめることもできる（請求項４）。
【００１７】
【発明の実施の形態】
以下、添付図面を参照して、本発明の好適な一実施の形態について説明する。
【００１８】
図１は、本発明の一実施の形態に係るホース繰り出し巻き取り装置を搭載した走行式液体散布機の一例としてのブーム式散布機の平面図、図２は、図１におけるホース繰り出し巻き取り装置のＡ矢視要部拡大図、図３は、図２のホース繰り出し巻き取り装置の一操作状態（ホース巻き取り操作状態）を示す図、図４は、図２のホース繰り出し巻き取り装置の他の操作状態（ホース繰り出し操作状態）を示す図、図５は、図２のホース繰り出し巻き取り装置の操作部の斜視要部拡大図である。
【００１９】
図１に示すように、本実施の形態に係るホース繰り出し巻き取り装置１は、例えば、走行式液体散布機の一例としての農用ブーム式散布機２に、補助散布用ホース３の繰り出し巻き取り装置として搭載して使用される。
【００２０】
前記ブーム式散布機２は、それ自体周知のもので、運転席４を有する乗用式走行機体５の前部に折り畳み式ブーム装置６を備えている。該ブーム装置６は、その下面の長さ方向に沿ってノズル管７を備えていて、該ノズル管７には、その長さ方向に沿って、通常散布用の多数の噴霧ノズル８が配設されている。前記走行機体５に搭載された散布液タンク９内の散布液は、同じく前記走行機体５に搭載された高圧プランジャ式等のポンプ１０で、前記噴霧ノズル８へと圧送される。したがって、前記ブーム装置６を、前記走行機体５の進行方向に向かって左右方向外方へ展張して走行しながら噴霧を行うことにより、栽培植物に対し、防除液や液体肥料等の散布液を、一度に幅広に散布することができる。
【００２１】
図１の例では、前記ホース繰り出し巻き取り装置１を、前記走行機体５の最後部に取り付けている。前記ホース繰り出し巻き取り装置１によって繰り出し及び巻き取りされる前記補助散布用ホース３の一端部３ａには、開閉コック１１を有する補助散布用の手持式ノズルランス１２が接続されている。また、図示してはいないが、前記ホース３の他端部は、前記ブーム装置６を用いて行う通常散布と、前記手持式ノズルランス１２を用いて行う補助散布と、を切り換える切換コックを介して、前記ポンプ１０の吐出口に連通している。作業者は、前記切換コックを操作して前記ポンプ１０から吐出される散布液の液圧回路を切り換え、前記ホース繰り出し巻き取り装置１から前記ホース３を引き出すことにより、例えば、前記ブーム式散布機２が入り込めないような狭小な圃場や変形圃場等でも、前記手持式ノズルランス１２を用いて散布を行うことができる。
【００２２】
前記ホース繰り出し巻き取り装置１は、ホースリール１３と、該ホースリール１３を回動自在に支持するホースリール支持フレーム１４と、該ホースリール支持フレーム１４に支持されるとともに前記ホースリール１３をホース巻き取り方向に回転駆動するホース巻き取り駆動源としての電動モータ１５と、を備えている。そして、前記ホース繰り出し巻き取り装置１は、前記ホースリール支持フレーム１４をボルト１６等の適宜の固着手段で前記走行機体５に着脱自在に固着することにより、前記ブーム式散布機２に取り付けられている。前記電動モータ１５は、電源への図示しない接続部を、前記走行機体５に設けられた電気回路に接続され、前記走行機体５に搭載されたバッテリ１７等の電源から直流電力を供給されて、回転する。
【００２３】
本発明では、図２に示すように、前記クラッチ・ブレーキ操作レバー２２は、一対の操作レバー付勢手段（２９−３３，３０−３５）で常時互いに逆方向Ｌ−Ｒへ付勢されることによって、前記クラッチ２０がつながり且つ前記ブレーキがかかった状態の、中立なホースリール固定操作位置ＮＰに保持されている。そして、前記クラッチ・ブレーキ操作レバー２２を、前記ホースリール固定操作位置ＮＰからホース巻き取り操作位置ＬＰへ操作すると、前記ブレーキ２１が解除され（図3参照）、一方、前記クラッチ・ブレーキ操作レバー２２を、前記ホースリール固定操作位置ＮＰから前記ホースリール巻き取り操作位置ＬＰとは反対方向のホース繰り出し操作位置ＲＰへと操作すると、前記クラッチ２０が断たれるようになっている（図４参照）。
【００２４】
図２及び図５を参照して説明すると、前記ホース繰り出し巻き取り装置１は、ホース巻き取り駆動軸となる前記モータの出力軸１８と、前記ホースリール１３の回転軸１９と、の間の駆動系に介装されたクラッチ２０と、前記モータ出力軸１８を制動するブレーキ２１と、前記クラッチ２０及び前記ブレーキ２１を操作するための単一の操作部材としてのクラッチ・ブレーキ操作レバー２２と、を備えている。
【００２５】
本実施の形態では、前記クラッチ２０として、ベルトテンション式クラッチを採用し、前記ブレーキ２１として、ベルト式ブレーキを採用している。図２に示すように、前記クラッチ・ブレーキ操作レバー２２は、一対の操作レバー付勢手段（２９−３３，３０−３５）で常時互いに逆方向Ｌ−Ｒへ付勢されることによって、前記クラッチ２０がつながり且つ前記ブレーキ２１がかかった状態の、中立なホースリール固定操作位置ＮＰに保持されている。そして、前記クラッチ・ブレーキ操作レバー２２を、前記ホースリール固定操作位置ＮＰからホース巻き取り操作位置ＬＰへと操作すると、前記ブレーキ２１が解除され（図３参照）、一方、前記クラッチ・ブレーキ操作レバー２２を、前記ホースリール固定操作位置ＮＰから前記ホースリール巻き取り操作位置ＬＰとは反対方向のホース繰り出し操作位置ＲＰへと操作すると、前記クラッチ２０が断たれるようになっている（図４参照）。
【００２６】
本実施の形態では、図５に示すように、前記クラッチ・ブレーキ操作レバー２２は、前記モータ１５を支持するモータ取付板２３に固着された操作レバー枢支軸２４に、相対回動自在に取着されている。前記モータ取付板２３は、前記ホースリール支持フレーム１４に固着されたモータ支持台２５上に立設されている。前記クラッチ・ブレーキ操作レバー２２は、前記ホースリール支持フレーム１４と一体の適宜の固定部（図示せず）に支持された操作レバー案内板２６の案内溝２７に沿って、前記操作レバー枢支軸２４を中心として、図２乃至図５で見て左右方向Ｌ−Ｒに揺動操作される。
【００２７】
前記モータ取付板２３には、前記操作レバー枢支軸２４と同様に、アーム枢支軸２８も固着されている。該アーム枢支軸２８は、図２に明瞭に示すように、前記操作レバー枢支軸２４の真下に位置していて、前記操作レバー枢支軸２４と互いに平行に延びている。前記アーム枢支軸２８には、いずれも前記クラッチ・ブレーキ操作レバー２２とは互いに異なる平面内で回動するクラッチアーム２９とブレーキアーム３０とが、相対回動自在に取着されている。
【００２８】
前記クラッチアーム２９の揺動先端部には、クラッチベルト２０ａとともに前記クラッチ２０を形成するテンションプーリ２０ｂが回動自在に軸止されている。前記クラッチベルト２０ａは、前記ホース３を適度の速度で巻き取れるように減速機１５ａ（図５参照）で所定回転数に減速される前記モータ１５の前記モータ出力軸１８に固着されたホースリール駆動プーリ３１と、前記ホースリール回転軸１９に固着された従動プーリ３２と、の間に緩く巻き掛けられていて、その外側から係合するとともにクラッチアーム付勢手段としての引張ばね３３で前記クラッチベルト２０ａの内方へと常時付勢された前記テンションプーリ２０ｂによって、所定の張力を付勢されている。前記クラッチアーム引張ばね（コイルスプリング）３３とともに前記一対の操作レバー付勢手段の内の一方を形成する前記クラッチアーム２９は、前記アーム枢支軸２８を中心として、前記クラッチベルト２０ａに張力を付与する方向、ずなわち、図２で見て反時計回り方向に常時付勢されている。
【００２９】
一方、前記ブレーキアーム３０の揺動一端部３０ａには、前記ブレーキ２１を形成するブレーキベルト２１ａの一端部２１ａｓが止着されている。前記ブレーキベルト２１ａは、前記ホースリール駆動プーリ３１と共に前記モータ出力軸１８に固着されたブレーキプーリ３４に巻き掛けられて、その他端部２１ａｅを、前記ホースリール支持フレーム１４と一体の適宜の固定部１４ａに対して止着されている。前記ブレーキアーム３０は、ブレーキアーム付勢手段としての引張ばね（コイルスプリング）３５で、前記アーム枢支軸２８を中心として、前記ブレーキベルト２１ａに張力を付与する方向、すなわち、図2で見て時計回り方向に常時付勢されている。前記ブレーキアーム引張ばね３５は、前記ブレーキアーム３０とともに、前記一対の操作レバー付勢手段の内の他方を形成している。
【００３０】
前記クラッチアーム２９と前記クラッチ・ブレーキ操作レバー２２との間、及び、前記ブレーキアーム３０と前記クラッチ・ブレーキ操作レバー２２との間には、互いに当接して前記クラッチ・ブレーキ操作レバー２２を前記ホースリール固定操作位置（中立位置）ＮＰに保持せしめる当接部（３９−３８，４０−４１）が、それぞれ対にして介装されている。
【００３１】
本実施の形態では、図５に示すように、前記クラッチ・ブレーキ操作レバー２２の基端平板部３６に、前記アーム枢支軸２８と互いに平行に延びる突出部３７を形成し、該突出部３７の先端部に、操作レバー保持位置調節部材を兼ねるボルト３８を、前記操作レバー側当接部として、突出量調節自在にねじ結合せしめている。前記ボルト３８は、図２でみて前記操作レバー枢支軸２４及び前記アーム枢支軸２８の右側で、前記クラッチアーム側当接部としての前記クラッチアーム２９の上縁部３９に当接している。既に述べたように、前記クラッチアーム２９は、前記クラッチアーム引張ばね３３で、図２で見て反時計回り方向に常時回動付勢されているので、前記クラッチアーム２９が、前記ボルト３８を介して、前記クラッチ・ブレーキ操作レバー２２を、図２で見て反時計回り方向Ｌに常時回動付勢していることになる。
【００３２】
一方、前記ブレーキアーム３０には、ブレーキアーム側当接部として、前記操作レバー枢支軸２４と互いに平行に延びるピン４０を固着している。該ピン４０は、図２で見て前記操作レバー枢支軸２４及び前記アーム枢支軸２８の左側で、前記操作レバー側当接部としての、前記クラッチ・ブレーキ操作レバー２２の前記基端平板部３６の下縁部４１に当接している。既に述べたように、前記ブレーキアーム３０は、前記ブレーキアーム引張ばね３５で、図２で見て時計回り方向に常時回動付勢されているので、前記ブレーキアーム３０が、前記ピン４０を介して、前記クラッチ・ブレーキ操作レバー２２を、図２で見て時計回り方向Ｒに回動付勢していることになる。
【００３３】
そして、前記クラッチ・ブレーキ操作レバー２２は、前記クラッチレバー２９と前記ブレーキレバー３０とによる前記クラッチ・ブレーキ操作レバー２２の互いに逆方向Ｌ−Ｒへの回動付勢力が互いに釣り合うことにより、中立の前記ホースリール固定操作位置ＮＰに保持されている。
【００３４】
本発明では、前記クラッチ・ブレーキ操作レバー２２が、前記モータ１５の作動を制御するための操作部材をも兼ねている。すなわち、図２で見て、前記クラッチ・ブレーキ操作レバー２２の揺動基端部２２ａの左側には、前記モータ１５の制御部材としての押しボタン式ＯＮ−ＯＦＦスイッチ４２が配設されている。該モータ制御スイッチ４２は、ＯＦＦの状態が維持されるように常時付勢されていて、前記クラッチ・ブレーキ操作レバー２２を、前記ホースリール固定操作位置ＮＰから、図２で見て左側の前記ホースリール巻き取り操作位置ＬＰへと揺動操作することにより、前記クラッチ・ブレーキ操作レバー２２に押されてＯＮになる。前記クラッチ・ブレーキ操作レバーに加えていた揺動操作力を弱めると、該クラッチ・ブレーキ操作レバー２２は前記ホースリール固定操作位置ＮＰへと戻され、前記モータ制御スイッチ４２は、自動的にＯＦＦとなる。
【００３５】
以上の構成において、前記クラッチ・ブレーキ操作レバー２２は、常時は、前記クラッチレバー２９と前記ブレーキレバー３０とによる前記クラッチ・ブレーキ操作レバー２２の互いに逆方向Ｌ−Ｒへの回動付勢力が互いに釣り合うことにより、図２に示す前記ホースリール固定操作位置ＮＰに保持されている。前記クラッチ・ブレーキ操作レバー２２が、前記ホースリール固定操作位置ＮＰにある時には、前記クラッチアーム引張ばね３３によって、前記テンションプーリ２０ｂを介して前記クラッチベルト２０ａに所定の張力が付与されて、前記クラッチ２０がつながるとともに、前記ブレーキアーム引張ばね３５によって前記ブレーキベルト２１ａに制動用張力が付与されて、前記ブレーキ２１が作動している。このため、前記ホースリール１３は回動不能であり、前記ホース３の前記一端部３ａ側を引っ張っても、前記ホース３が繰り出されることはないので、移動時や散布作業時に、前記ホース３が緩んでからまったりする不都合は生じない。
【００３６】
次に、前記クラッチ・ブレーキ操作レバー２２を、前記ホースリール固定操作位置ＮＰから、図３に示す前記ホース巻き取り操作位置ＬＰへと左方Ｌへ揺動操作すると、前記クラッチ・ブレーキ操作レバー２２の前記基端平板部３６が、前記ピン４０を介して、前記ブレーキアーム３０を、前記ブレーキアーム引張ばね３５の引張付勢力に抗して、前記アーム枢支軸２８を中心として、図３で見て、反時計回り方向に回動せしめる。このため、前記ブレーキアーム３０に接続された前記ブレーキベルト２１ａが前記ブレーキプーリ３４から緩んで、前記ブレーキ２１が解除される。そして、該ブレーキ２１の解除と同時か、あるいはブレーキ解除の直後に、前記クラッチ・ブレーキ操作レバー２２の前記揺動基端部２２ａが前記モータ制御スイッチ４２に当接して、該モータ制御スイッチ４２がＯＮになり、前記モータが作動する。これにより、前記ホースリール１３が、ホース巻き取り方向Ｂへと回動駆動される。
【００３７】
本発明では、前記ホースリール１３による前記ホース３の自動巻き取りは、作業者が、前記クラッチ・ブレーキ操作レバー２２を前記ホース巻き取り操作位置ＬＰに保持している間だけ継続する。そして、前記作業者が、前記クラッチ・ブレーキ操作レバー２２を解放すると、前記ブレーキアーム引張ばね３５の付勢力によって、前記ブレーキアーム３０を介して、前記クラッチ・ブレーキ操作レバー２２が自動的に中立の前記ホースリール固定操作位置ＮＰへと戻されることによって、前記ホースリール１３による前記ホース３の巻き取りが停止する。
【００３８】
逆に、前記クラッチ・ブレーキ操作レバー２２を、前記ホースリール固定操作位置ＮＰから、図４に示す前記ホース繰り出し操作位置ＲＰへと右方Ｒへ揺動操作すると、前記モータ制御スイッチ４２はＯＦＦ状態のまま、前記クラッチ・ブレーキ操作レバー２２が、前記ボルト３８を介して、前記クラッチアーム２２を、前記クラッチアーム引張ばね３３の付勢力に抗して、前記アーム枢支軸２８を中心として、図４で見て時計回り方向に回動せしめる。このため、前記テンションプーリ２０ｂで張力を付与されていた前記クラッチベルト２０ａが緩んで、前記クラッチ２０が断たれ、前記ホースリール１３が遊転可能となり、作業者が前記ホース３の前記一端部３ａ側を引っ張ることにより、前記ホース３を容易に繰り出すことができる。
【００３９】
なお、本実施の形態では、図４及び図５に示す如く、前記作業者が前記クラッチ・ブレーキ操作レバー２２から手を離しても該操作レバー２２が前記ホース繰り出し操作位置ＲＰに留まるように、前記操作レバー案内板２６に、前記案内溝２７と連続するレバー保持用凹部２７ａを形成している。このため、前記ホース３の繰り出し作業を一人の作業者で行うことも可能となり、好適である。
【００４０】
また、図示してはいないが、前記ホースリール支持フレーム１４に、前記ホース３の巻き取り位置を前記ホースリール１３のホース巻き取り幅の範囲で自動的に往復動せしめる、農用ホースリール装置等の分野でそれ自体周知の、ホース自動整列巻き取り機構を設けると、前記ホース３が、前記ホースリール１３のホース巻き取り全幅にわたって偏りなく巻き取られるので、一層好適である。
【００４１】
さらに、前記クラッチ・ブレーキ操作レバー２２を、電動式等のアクチュエータで揺動駆動自在とせしめ、該アクチュエータの作動をラジコン等で遠隔操作可能とせしめることもできる。このようにすれば、前記ホース繰り出し巻き取り装置１を遠隔操作できるので、作業者が一人でも、円滑に補助散布作業を行うことができて、なお一層好適である。
【００４２】
さらにまた、本実施の形態では、構成の簡素化のため、前記モータ出力軸１８上に、前記ホースリール駆動プーリ３１を直接固着しているが、前記モータ出力軸１８を、前記ホースリール駆動プーリ３１の回転軸とは別体に形成し、これらを互いに分離可能に連結した構成とせしめれば、前記ホースリール繰り出し巻き取り装置１から前記モータ１５を取り外すことにより、例えば、前記ブーム式散布機２の動力取り出し軸（ＰＴＯ軸）や前記ブーム式散布機２に搭載したモータ等から前記ホースリール１３の回転駆動力を取り入れる、外部動力取り込み式の装置に容易に変更できる利点もある。
【図面の簡単な説明】
【図１】  本発明の一実施の形態に係るホース繰り出し巻き取り装置を搭載した走行式液体散布機の一例としてのブーム式散布機の平面図である。
【図２】  図１におけるホース繰り出し巻き取り装置Ａ矢視要部拡大図である。
【図３】  図２のホース繰り出し巻き取り装置の一操作状態（ホース巻き取り操作状態）を示す図である。
【図４】  図２のホース繰り出し巻き取り装置の他の操作状態（ホース繰り出し操作状態）を示す図である。
【図５】  図２のホース繰り出し巻き取り装置の操作部の斜視要部拡大図である。
【符号の説明】
１３    ホースリール
１４    ホースリール支持フレーム
１５    電動モータ
１８    ホース巻き取り駆動軸（出力軸）
２０    ベルトテンション式クラッチ
２１    ベルト式ブレーキ
２２    単一の操作部材（揺動操作レバー、クラッチ・ブレーキ操作レバー）
２９−３３  揺動操作レバー付勢手段
（２９  クラッチアーム    ３３  クラッチアーム引張ばね）
３０−３５  揺動操作レバー付勢手段
（３０  ブレーキアーム    ３５  ブレーキアーム引張ばね）
Ｌ−Ｒ  逆方向
ＬＰ    ホース巻き取り操作位置
ＮＰ    ホースリール固定操作位置
ＲＰ    ホース繰り出し操作位置
【図１】
0004026314.tif 000002
【図２】
0004026314.tif 000003
【図３】
0004026314.tif 000004
【図４】
0004026314.tif 000005
【図５】
0004026314.tif 000006